(57)【要約】【課題】建設予定地の地盤に対する施主の興味を引き起こし、かつ、施工者の施主に対する説明を容易にするプレゼンテーション用サンプルケースを提供すること。【解決手段】一端が開口した透明な長筒状のサンプルケース３と、内部に試料４が充填される透明な短筒状の試料ケース２と、前記開口に取り付けられる蓋部材８とを具備し、試料ケース２をサンプルケース３内に長手方向に深度順に直列に配設すること。【選択図】　　　図１
2004069361.tif 000002
【特許請求の範囲】
【請求項１】
一端が開口した透明な長筒状のサンプルケースと、該サンプルケースの長手方向に直列に挿入され、内部に試料が充填される透明な短筒状の試料ケースと、前記開口に取り付けられる蓋部材とを具備することを特徴とするプレゼンテーション用サンプルケース。
【請求項２】
前記サンプルケースの内周面に軸方向と略平行に全長にわたって一条の凸形又は凹形のガイド部を設け、前記試料ケースの外周面に軸方向と略平行に全長にわたって前記ガイド部に遊嵌する凹形又は凸形の嵌合部を設けたことを特徴とする請求項１に記載のプレゼンテーション用サンプルケース。
【請求項３】
一端が開口しかつ内周面に軸方向と略平行に全長にわたって一条の切欠部が設けられた長筒状のサンプルケースと、前記切欠部に嵌合する背部と該背部に前記試料ケースの高さと略等しい間隔をおいて設けられた仕切り板と前記背部の一端に設けられかつ前記開口に嵌合する蓋部とを有して前記サンプルケースに着脱自在に設けられるガイド部材と、該ガイド部材の長手方向に直列に配置され、内部に試料が充填される透明な短筒状の試料ケースとを具備することを特徴とするプレゼンテーション用サンプルケース。
【発明の詳細な説明】
【０００１】
【発明の属する技術分野】
本発明は、分別された複数個の試料を定められた順序に、特に地盤のボーリング調査で採取された土の試料を深度順にプレゼンテーションするためのプレゼンテーション用サンプルケースに関するものである。
【０００２】
【従来の技術】
住宅等の建設予定地では、建物の建築に先立って地盤のボーリング調査が行われ、各深度毎に土の試料を採取する。施工者は、図７に示すように、採取した土の試料１００を透明な短筒体である試料ケース１０１に充填し、該試料ケース１０１の外周面１０２の所定事項を記載したラベル１０３を貼着して、土のサンプルを作製し、試料ケース１０１を箱形の収納ケース１０４に並列に収納して土の試料１００を保管していた。また、施工者は、この収納ケース１０４を用いて、施主に建設予定地の地盤について説明を行っていた。
【０００３】
【発明が解決しようとする課題】
しかしながら、試料ケース１０１は収納ケース１０４内に並列に収納されているだけなので、施主にとっては、各試料ケース１０１どうしのつながりが不明で、地盤中のイメージがわきにくいという問題点があった。
【０００４】
そこで、施主に地盤中のイメージを理解してもらう為には、収納ケース１０４から試料ケース１０１を全て取り出し、深度順に直列に積み上げて説明することが理想的ではあるが、手間がかかるだけでなく積み上げた試料ケース１０１の安定性に欠けるので、実際には行われてはいない。
【０００５】
本発明は、上記課題に鑑みてなされたものであり、建設予定地の地盤に対する施主の興味を引き起こし、かつ、施工者の施主に対する説明を容易にするプレゼンテーション用サンプルケースを提供することを目的とする。
【０００６】
【課題を解決するための手段】
前記目的を達成するためになされた本発明の請求項１に記載のプレゼンテーション用サンプルケースは、一端が開口した透明な長筒状のサンプルケースと、該サンプルケースの長手方向に直列に挿入され、内部に試料が充填される透明な短筒状の試料ケースと、前記開口に取り付けられる蓋部材とを具備することを特徴とするものである。
【０００７】
請求項２に記載のプレゼンテーション用サンプルケースは、請求項１に記載のプレゼンテーション用サンプルケースにおいて、前記サンプルケースの内周面に軸方向と略平行に全長にわたって一条の凸形又は凹形のガイド部を設け、前記試料ケースの外周面に軸方向と略平行に全長にわたって前記ガイド部に遊嵌する凹形又は凸形の嵌合部を設けたことを特徴とするものである。
【０００８】
請求項３に記載のプレゼンテーション用サンプルケースは、一端が開口しかつ内周面に軸方向と略平行に全長にわたって一条の切欠部が設けられた長筒状のサンプルケースと、前記切欠部に嵌合する背部と該背部に前記試料ケースの高さと略等しい間隔をおいて設けられた仕切り板と前記背部の一端に設けられかつ前記開口に嵌合する蓋部とを有して前記サンプルケースに着脱自在に設けられるガイド部材と、該ガイド部材の長手方向に直列に配置され、内部に試料が充填される透明な短筒状の試料ケースとを具備することを特徴とするものである。
【０００９】
【発明の実施の形態】
以下、本発明の実施形態について図面に基づいて説明する。第１の実施形態に係るプレゼンテーション用サンプルケース１は、図１に示すように、試料ケース２と、該試料ケース２を長手方向に直列に挿入するサンプルケース３とを具備している。
【００１０】
試料ケース２は、図２に示すように、試料Ａを入れる両端が開口した透明な短筒体であり、ガラス又はアクリル樹脂等のプラスチックから成型されたものであって、その外周面４に貼着されるラベル５と、試料ケース２を密封する密封キャップ６とを有している。そして、その外周面４には軸方向と略平行に全長にわたって一条の凹形の嵌合部７が形成されている。また、その大きさは、特に限定されないが、例えば、その外径は略４０ｍｍ、その長さは外径の２乃至２．５倍として、施工者が扱いやすい大きさとするのが好適である。
【００１１】
なお、試料Ａは、本実施の形態では、建設予定地の地盤のボーリング調査の際に地盤面から例えば１ｍ程度毎に所望の深度まで採取した土である。しかしながら、これに限定されるものではなく、例えば、上流から下流に向って所望の間隔で採取した河川の水等でもよい。
【００１２】
サンプルケース３は、図３に示すように、試料ケース２と同様に、透明なガラス又はアクリル樹脂等のプラスチックから成型された長筒体であり、試料ケース２をスムーズにサンプルケース３内に挿入させるために、その内径は試料ケース２の外径より少し大きくしている。また、その高さは試料ケース２の個数に対応させて設定し、具体的には、試料ケース２の高さの整数倍にサンプルケース３の開口に嵌合する蓋部材８の厚さを加えた高さと同程度としている。更に、その内周面９には軸方向と略平行に全長にわたって試料ケース２の嵌合部７と遊嵌する一条の凸形のガイド部１０が形成されている。なお、蓋部材８は、サンプルケース３の開口を塞ぐことができればよく、その形状及び材質等は特に限定されない。
【００１３】
ラベル５は、図２に示すように、試料Ａの特性等を表示するために、試料ケース２の外周面４に貼着されるシール状のものであって、その幅は試料ケース２の円周の半分程度とし、その長さは試料ケース２の長さの半分程度としている。本実施の形態では、図４に示すように、採取日、調査名、採取した土の深度、採取地点等の所定事項を記載している。
【００１４】
密封キャップ６は、図２に示すように、試料ケース２の開口を密封するものであって、その材質等は特に限定されないが、例えば、その周縁にゴム等の弾性体を設けて、試料ケース２内に充填させた試料Ａの乾燥を防止することができるものが好適である。
【００１５】
以下、プレゼンテーション用サンプルケース１の使用について説明する。まず、図２に示すように、試料ケース２の一端に密封キャップ６を嵌め、試料ケース２内に試料Ａを充填し、試料ケース２の他端に密封キャップ６を嵌めるとともに、所定事項を記載したラベル５を試料ケース２の外周面４の所定位置に貼着することにより、試料Ａのサンプルを作製する。
【００１６】
次に、図３に示すように、サンプルケース３のガイド部１０に試料ケース２の嵌合部７を遊嵌させて、サンプルケース３内に深度順に試料ケース２を挿入し、該試料ケース２を挿入し終えたら、サンプルケース３の開口に蓋部材８を取り付ける。これにより、図１に示すように、試料ケース２がサンプルケース３内に長手方向に深度順に直列に挿入される、即ち、試料Ａが長手方向に深度順に直列に配置される。
【００１７】
このとき、ラベル５を予め定位置に貼着しているので、サンプルケース３のガイド部１０に試料ケース２の嵌合部７を遊嵌させて、サンプルケース３内に試料ケース２を挿入してゆくだけで、ラベル５が略一直線上に位置し、外から見た時にラベル５の貼着位置が揃っていることから見易くなる。
【００１８】
なお、本実施形態では、試料ケース２の嵌合部７を凹形、サンプルケース３のガイド部１０を凸形としているが、これとは逆に、試料ケース２の嵌合部７を凸形、サンプルケース３のガイド部１０を凹形としてもよい。
【００１９】
次に、第２の実施形態について説明する。第２の実施形態に係るプレゼンテーション用サンプルケース２０は、図５に示すように、第１の実施形態と同様の内部に試料Ａが充填されて外周面４にラベル５が貼着された試料ケース２（図２参照）と、該試料ケース２を長手方向に直列に配置するガイド部材２１と、該ガイド部材２１に着脱自在に取り付けられるサンプルケース２２とを具備している。
【００２０】
ガイド部材２１は、図６に示すように、透明なガラス又はアクリル樹脂等のプラスチックから成型されたものであって、サンプルケース２２の開口に嵌合する蓋部２３と、該蓋部２３の周縁に立設された背部２４とを有している。
【００２１】
サンプルケース２２は、図５及び図６に示すように、透明なガラス又はアクリル樹脂等のプラスチックから成型された長筒体であり、試料ケース２をスムーズにサンプルケース２２内に挿入させるために、その内径は試料ケース２の外径より少し大きくしている。また、その高さは試料ケース２の個数に対応させて設定し、具体的には、試料ケース２の高さの整数倍にガイド部材２１の蓋部２３の厚さを加えた高さと同程度としている。更に、その内周面２５には軸方向と略平行に全長にわたってガイド部材２１の背部２４と遊嵌する一条の凹形の切欠部２６が形成されている。
【００２２】
ガイド部材２１の背部２４は、内側面の形状を試料ケース２の嵌合部７と遊嵌可能な凸形とし、かつ、その内側面に試料ケース２の高さと略等しい間隔をおいて蓋部２３と略等しい形状の仕切り板２７を設けている。なお、仕切り板２７の厚さは、特に限定されるものではないが、外見を考慮して可能な限り薄くすることが望ましい。
【００２３】
以下、プレゼンテーション用サンプルケース２０の使用について説明する。図６に示すように、ガイド部材２１の蓋部２３から深度順に、ガイド部材２１の背部２４に試料ケース２の嵌合部７を遊嵌させながら仕切り板２７間に試料ケース２を配設してゆき、該試料ケース２を配設し終えたら、ガイド部材２１の背部２４とサンプルケース２２の切欠部２６とを嵌め合わせながらサンプルケース２２を上方から被せる。これにより、図５に示すように、試料ケース２がサンプルケース２２内に長手方向に深度順に直列に配置される、即ち、試料Ａが長手方向に深度順に直列に配置される。
【００２４】
このとき、ガイド部材２１の背部２４に試料ケース２の嵌合部７を遊嵌させて、ガイド部材２１の仕切り板２７間に試料ケース２を配置してゆくだけで、第１の実施形態と同様に、試料ケース２に貼着したラベル５が略一直線上に位置し、外から見た時にラベル５の貼着位置が揃っていることから見易くなる。
【００２５】
また、図６に示すように、サンプルケース２２はガイド部材２１に対して着脱自在であり、また、各試料ケース２は仕切り板２７で仕切られているので、サンプルケース２２をガイド部材２１から取り外して、任意の試料ケース２を取り出すことできる。
【００２６】
【発明の効果】
以上説明したように、本発明の請求項１に記載のプレゼンテーション用サンプルケースは、一端が開口した透明な長筒状のサンプルケースと、該サンプルケースの長手方向に直列に挿入され、内部に試料が充填される透明な短筒状の試料ケースと、前記開口に取り付けられる蓋部材とを具備するので、サンプルケース内に試料ケースが深度の深いものから浅いものへと順に直列に配設されるととなり、試料ケースに充填された試料どうしのつながりを明確にすることができるという利点がある。
【００２７】
これにより、施主は地盤中のイメージをしやすくなるという利点がある。また、施工者は、プレゼンテーション用サンプルを提示するだけでよいので、説明しやすいという利点がある。
【００２８】
本発明の請求項２に記載のプレゼンテーション用サンプルケースは、請求項１に記載のプレゼンテーション用サンプルケースにおいて、前記サンプルケースの内周面に軸方向と略平行に全長にわたって一条の凸形又は凹形のガイド部を設け、前記試料ケースの外周面に軸方向と略平行に全長にわたって前記ガイド部に遊嵌する凹形又は凸形の嵌合部を設けたので、上記効果に加えて、各ラベルの貼着位置を揃えることができ、外観も良くなるという利点がある。
【００２９】
本発明の請求項３に記載のプレゼンテーション用サンプルケースは、一端が開口しかつ内周面に軸方向と略平行に全長にわたって一条の切欠部が設けられた長筒状のサンプルケースと、前記切欠部に嵌合する背部と該背部に前記試料ケースの高さと略等しい間隔をおいて設けられた仕切り板と前記背部の一端に設けられかつ前記開口に嵌合する蓋部とを有して前記サンプルケースに着脱自在に設けられるガイド部材と、該ガイド部材の長手方向に直列に配置され、内部に試料が充填される透明な短筒状の試料ケースとを具備するので、サンプルケースをガイド部材から取り外して任意の試料ケースを取り出すことができ、上記効果に加えて、施主に建設予定地に対する興味を更に引き起こさせることができるという利点がある。
【図面の簡単な説明】
【図１】本発明の第１の実施形態に係るプレゼンテーション用サンプルケースを示す斜視図である。
【図２】本発明の試料ケースの作製手順を示す図である。
【図３】本発明の第１の実施形態のプレゼンテーション用サンプルケースの作製手順を示す図である。
【図４】本発明の試料ケースの外周面に貼着されるラベルの一例を示す図である。
【図５】本発明の第２の実施形態に係るプレゼンテーション用サンプルケースを示す斜視図である。
【図６】本発明の第２の実施形態のプレゼンテーション用サンプルケースの作製手順を示す図である。
【図７】従来の収納ケースを示す斜視図である。
【符号の説明】
１　プレゼンテーション用サンプルケース
２　試料ケース
３　サンプルケース
４　外周面
７　嵌合部
９　内周面
１０　ガイド部
【図１】
2004069361.tif 000003
【図２】
2004069361.tif 000004
【図３】
2004069361.tif 000005
【図４】
2004069361.tif 000006
【図５】
2004069361.tif 000007
【図６】
2004069361.tif 000008
【図７】
2004069361.tif 000009